(57)【要約】【課題】複数の排水機器からの配管を合流させる排水継手において、一つの排水装置から他の排水装置に逆流が発生することを防止したり、排水時にサイホン効果が発生したりしても、負圧による騒音や破封の発生を防止することができる排水継手を提供する。【解決手段】少なくとも２つ以上の排水機器からの排水を合流させて排水口に排出するための排水継手において、排水継手を、排水機器からの排水が流入する第一の流入口及び下方に排水口に連通する第一の排出口を設けた垂立する管体部分からなる第一の排水流路と、第一の排水管部の垂立部分を覆うように設けられた、側面に第二の流入口を備え、下方に排水口に連通する第二の排出口を設けたケーシングを備えた第二の排水流路と、から構成する。【選択図】図８
2019035287.tif 000002
【特許請求の範囲】
【請求項１】
少なくとも２つ以上の排水機器からの排水を合流させて排水口に排出するための排水継手であって、
排水機器からの排水が流入する第一の流入口及び下方に排水口に連通する第一の排出口を設けた垂立する管体部分からなる第一の排水流路と、
第一の排水管部の垂立部分を覆うように設けられた、側面に第二の流入口を備え、下方に排水口に連通する第二の排出口を設けたケーシングを備えた第二の排水流路と、
からなる排水継手。
【請求項２】
第一の流入口と第二の流入口が略水平方向を向くと共に、ほぼ同じ高さ位置に備えられていることを特徴とする、請求項１に記載の排水継手。
【請求項３】
第一の排出口及び第二の排出口が共に平面視又は底面視円形形状で、同心円状に配置されてなることを特徴とする、請求項１又は請求項２に記載の排水継手。
【請求項４】
第二の排出口に目皿部材の捕集部を備えたことを特徴とする、請求項１乃至請求項３のいずれか一つに記載の排水継手。
【請求項５】
排水口に目皿部材を備えると共に、
該目皿部材の中央には開口部を備え、
第一の排水管部は開口部を貫通した状態で嵌合する嵌合部を備え、排水口内に排水を排出すると共に、
第二の排出口は、目皿部材の捕集部の上方に配置され、捕集部を介して排水口内に排水を排出することを特徴とする、請求項１乃至請求項４のいずれか一つに記載の排水継手。
【請求項６】
第一の流入口に接続される排水機器は、第二の流入口に接続される排水機器よりも、一度に排水される排水の量が大量であることを特徴とする、請求項１乃至請求項５のいずれか一つに記載の排水継手。
【請求項７】
排水口に、第一の排水流路２または第二の排水流路３に吸気する構造を備えたことを特徴とする、請求項１乃至請求項６のいずれか一つに記載の排水継手。
【発明の詳細な説明】
【技術分野】
【０００１】
本発明は、排水機器の排水を処理する排水継手に関するものであって、更に詳しくは、複数の排水機器の排水を排水口に排出する排水継手において、一つの排水機器からの排水が多量であっても、排水継手に接続されている他の排水機器への排水配管に逆流が生じることが無いようにするための排水継手に関するものである。
【背景技術】
【０００２】
従来より、洗面ボウルや流し台、浴槽など、槽体を備え、使用により排水を生じる機器（以下「排水機器」と記載）において、槽体内部に生じた給水を、下水側へ排出するための配管（排水配管）が知られている。
これら排水配管は、床面等に設けられた排水口に接続され、排水機器から生じた排水を、排水口を介して、床下配管など下水側の配管に排出するように配管施工される。このような排水配管において、配管の簡略化・効率化などを目的に、複数の排水配管を合流させる排水継手が良く利用される。
【０００３】
特許文献１に記載された排水配管は、排水機器である洗面ボウルを２つ備え、該洗面ボウルからの配管を床面上に配置された排水継手（特許文献１では「連結部」）に接続することで、それぞれの洗面ボウルの排水配管を一つの排水配管に合流させ、それよりも下流側の排水配管は一つの排水配管にて処理することで、排水配管を簡略化、また配管作業の効率化している。
【０００４】
【特許文献１】実開平４−９７９６２号公報
【発明の概要】
【発明が解決しようとする課題】
【０００５】
上記排水配管においては、排水継手にて複数の排水機器を接続しているため、一つの排水機器から排水を行うと、他の排水機器の排水配管に影響が生じる場合がある。
具体的には、排水機器上記排水配管において、一つの排水機器から大量に排水が生じ、排水が勢いよく流れた場合、排水機器からの排水は、排水継手から、下流側の排水配管への排出が間に合わず、接続されているもう一方の排水機器の排水配管に流れこみ、洗面ボウルに逆流する場合がある。
具体的には、上記排水配管において、一つの排水機器から大量に排水が生じ、排水が勢いよく流れた場合、排水機器からの排水は、排水継手において、下流側の排水配管への排出が間に合わず、接続されている他方の排水機器の排水配管に流れこみ、逆流する場合がある。
特に、特許文献１の実施例のように、排水継手の、複数の排水機器からの接続箇所が互いの対向位置にある場合、排水配管の排水性能（排水の処理能力）に関係なく、一方の排水機器からの排水が、排水配管に沿って勢いよく流れ、そのまま対向位置にある他方の排水機器の排水配管に流れ込んで逆流を起こしてしまう場合がある。
他の事例として、一つの排水配管から排水が行われる際、他の排水配管側からの空気を引き込んで下流側の配管に排出し、結果として配管に負圧を発生させるサイホン現象と呼ばれる現象がある。この場合、負圧によって引き込みを生じた他の排水機器の配管では、負圧による「ごぼごぼ」といった空気の引き込み音が発生し、屋内の使用者に不快感を与える。また、排水配管によっては、配管の途中に、封水式排水トラップと呼ばれる、配管の途中部分に封水と呼ばれる排水溜りを形成することで、トラップ機能と呼ばれる、下水側からの臭気や害虫類の屋内側への侵入を防止する機能を備えた部材を備える場合がある。この封水式排水トラップは、内部に充分な量の排水を溜めることで、トラップ機能を生じさせるが、上記したサイホン効果によって排水配管の下流側に負圧が生じると、当該負圧によって封水が引き込まれて下流側に流失し、破封と呼ばれるトラップ機能を喪失してしまう場合があった。
本発明は上記問題点に鑑み発明されたものであって、複数の排水機器からの配管を合流させる排水継手において、一つの排水装置から他の排水装置に逆流が発生することを防止したり、排水時にサイホン効果が発生したりしても、負圧による騒音や破封の発生を防止することができる排水継手を提供するものである。
【課題を解決するための手段】
【０００６】
請求項１に記載の本発明は、少なくとも２つ以上の排水機器からの排水を合流させて排水口に排出するための排水継手であって、
排水機器からの排水が流入する第一の流入口及び下方に排水口に連通する第一の排出口を設けた垂立する管体部分からなる第一の排水流路と、第一の排水管部の垂立部分を覆うように設けられた、側面に第二の流入口を備え、下方に排水口に連通する第二の排出口を設けたケーシングを備えた第二の排水流路と、からなる排水継手である。
【０００７】
請求項２に記載の本発明は、第一の流入口と第二の流入口が略水平方向を向くと共に、ほぼ同じ高さ位置に備えられていることを特徴とする、請求項１に記載の排水継手である。
【０００８】
請求項３に記載の本発明は、第一の排出口及び第二の排出口が共に平面視又は底面視円形形状で、同心円状に配置されてなることを特徴とする、請求項１又は請求項２に記載の排水継手である。
【０００９】
請求項４に記載の本発明は、第二の排出口に目皿部材の捕集部を備えたことを特徴とする、請求項１乃至請求項３のいずれか一つに記載の排水継手である。
【００１０】
請求項５に記載の本発明は、排水口に目皿部材を備えると共に、該目皿部材の中央には開口部を備え、第一の排水管部は開口部を貫通した状態で嵌合する嵌合部を備え、排水口内に排水を排出すると共に、第二の排出口は、目皿部材の捕集部の上方に配置され、捕集部を介して排水口内に排水を排出することを特徴とする、請求項１乃至請求項４のいずれか一つに記載の排水継手である。
【００１１】
請求項６に記載の本発明は、第一の流入口に接続される排水機器は、第二の流入口に接続される排水機器よりも、一度に排水される排水の量が大量であることを特徴とする、請求項１乃至請求項５のいずれか一つに記載の排水継手である。
【００１２】
請求項７に記載の本発明は、排水口に、第一の排水流路２または第二の排水流路３に吸気する構造を備えたことを特徴とする、請求項１乃至請求項６のいずれか一つに記載の排水継手である。
【発明の効果】
【００１３】
請求項１に記載の本発明によれば、複数の排水機器からの排水配管を接続する排水継手において、一つの排水機器からの排水が大量に生じたとしても、他の排水機器に逆流が生じることが無い。
請求項２に記載の本発明によれば、排水継手を、上下方向にコンパクトな構成とすることができる。
請求項３に記載の本発明によれば、排水継手を、水平方向にコンパクトな構成とすることができる。
請求項４、請求項５に記載の本発明は、排水に含まれる塵芥を捕集し下流側に流出しないようにすることができる。また、排水の流路の一部を目皿部材の捕集部で区切ることで、排水時にサイホン効果が発生しても、負圧の影響を軽減させ、負圧による騒音や封水の引き込みを減じることができる。
請求項６に記載の本発明によれば、排水機器の構成を明確化することができる。
請求項７に記載の本発明によれば、排水口から第一の排水流路、又は第二の排水流路に吸気することで、排水機器側に負圧が発生せず、排水機器側のごぼごぼ音等の発生を防止することができる。
【図面の簡単な説明】
【００１４】
【図１】本発明の排水継手を採用した排水配管の参考図である。
【図２】第一実施例の継手部材本体の正面図である。
【図３】第一実施例の継手部材本体の平面図である。
【図４】第一実施例の継手部材本体の底面図である。
【図５】第一実施例の継手部材本体の斜視図である。
【図６】第一実施例の継手部材本体の斜視図である。
【図７】図２のＡ−Ａ断面図である。
【図８】図３のＢ−Ｂ断面図である。
【図９】図３のＣ−Ｃ断面図である。
【図１０】第一実施例の目皿部材の平面図である。
【図１１】第一実施例の目皿部材の斜視図である。
【図１２】第一実施例の主要部材の部材構成を示す断面図である。
【図１３】第一実施例の主要部材の部材構成を示す斜視図である。
【図１４】第一実施例の主要部材の組み合わせた状態を示す断面図である。
【００１５】
以下に本発明の第一実施例を、図面を参照しつつ説明する。
図１乃至図１４に示した、本発明の第一実施例の排水継手を採用した排水配管は、ビジネスホテル等にて多く採用されている、室内に浴槽Ｂ及び洗面ボウルＳを備えた浴室の、室内側の排水配管に関するものであって、
以下に記載する、排水機器としての洗面ボウルＳ及び浴槽Ｂと、これら排水機器の排水を処理するための、排水継手である継手部材本体１、浴槽排水口本体６、洗面排水口本体７、配管部材Ｐ、から構成される排水配管からなり、浴室の床面に設けられた排水口５に排出される。
浴槽Ｂは、本実施例では浴室の床面上に設置される、上方が開口した槽体であって、底面に浴槽排水口本体６を接続する浴槽取付口Ｂ１を有してなる。
洗面ボウルＳは、本実施例では屋内の側壁面に取り付けられる、上方が開口した槽体であって、底面に洗面排水口本体７を接続する洗面取付口Ｓ１を有してなる。尚、本実施例では、施工開始時に既に屋内の側壁面に取り付け固定されてなる。
尚、浴槽Ｂと洗面ボウルＳとを比較した場合、通常の使用をする限り、排水が生じる頻度は洗面ボウルＳの方が多いが、一度に排水される排水の量は浴槽Ｂの方が多い。
また、浴槽排水口６ａ及び洗面排水口７ａには、必要に応じて浴槽排水口６ａまた洗面排水口７ａを閉塞するための栓蓋８が取り付けられる。
浴槽排水口本体６は、施工完了時、浴槽取付口Ｂ１に接続固定される略円筒形状を成す部材であって、その内部に浴槽排水口６ａを備えてなる。
洗面排水口本体７は、施工完了時、洗面取付口Ｓ１に接続固定される略円筒形状を成す部材であって、その内部に洗面排水口７ａを備えてなる。
継手部材本体１は、浴槽Ｂと洗面ボウルＳの、２つの排水機器からの排水を合流させて排水口５に排出するための排水継手であって、以下に記載する第一の排水流路２、及び第二の排水流路３を備える。
第一の排水流路２は、図８の矢印で示すように、水平方向から垂下方向に向かって円筒を成す管体をＬ字形状に屈曲させて形成した流路であって、水平方向に向かって開口した、排水機器である浴槽Ｂからの排水が流入する第一の流入口２ａと、下方に屈曲して垂立する管体部分の下端に開口した第一の排出口２ｂとを備えてなる。
第一の排出口２ｂを成す垂立した管体部分の下端は、後述する第二の排出口３ｂよりも下方に突出しており、この突出した部分の外側面に、目皿部材４の開口部４ａと嵌合する、溝からなる嵌合部２ｃを備えてなる。
第二の排水流路３は、図９に示すように、第一の排水流路２を覆うように設けられた、有底円筒形状を天地逆転させたような形状を成すケーシング部３ｃを備えた流路であって、ケーシング部３ｃは、上方に壁部分を設けると共に、下方が開口して第二の排出口３ｂを形成してなる。ケーシング部３ｃの、円形を成す側面部分は、図４の底面視で示したように、第一の排出口２ｂと同心円状に形成され、また側面部分から側方に管体を延出し、その端部に第二の流入口３ａが設けられてなる。
尚、第一の流入口２ａと第二の流入口３ａは、それぞれ略水平方向（実際には、自然排水を行うのに必要な１度乃至２度程度の若干の傾斜を備えてなる）を向くと共に、ほぼ同じ高さ位置に備えられてなる。
また、第一の流入口２ａを備える管体と、第二の流入口３ａを備える管体の、平面視における中心軸が成す角度は、図３にあるように、約９０度である。
また、第一の排水流路２を形成する管体の一部、水平方向の管体部分の一部は、図８にあるように、ケーシング部３ｃの上方の壁面と兼用して構成されてなる。
また、第一の排水流路２と第二の排水流路３は一体の部材として構成され、別パーツとして分離することはできない。
配管部材Ｐは、塩ビ等の樹脂材からなる管体であって、直管や屈曲管等からなり、浴槽排水口本体６、及び洗面排水口本体７の下流側端部から、継手部材本体１までの間を配管し、排水の流路を形成する。また直線状の管体には、可撓性を備えた軟質塩ビ管のホース管と、硬質塩ビ管のパイプ管とがある。ホース管はスプリング状の芯材を備えることで管体が潰れた形状となることを防いでいる。また、屈曲管は硬質の塩ビ管、又はＡＢＳ等の硬質の樹脂素材からなる。
排水口５は、浴室の床面Ｆに設けられた平面視円形を成す開口であって、排水口５の下流は床下の排水配管に接続されて、最終的には下水側に排出されるように構成されてなる。また、排水口５と床下配管の間には、下水側からの臭気や害虫類の屋内側への逆流を防ぐ、排水トラップ（図示せず）が備えられてなる。
また、排水口５には、以下に記載する目皿部材４が備えられてなる。
目皿部材４は、図１０、図１１に示した、排水口５内に嵌合により配置固定される部材であって、平面視円形を成す外周部と、中央部分に継手部材本体１の第一の排水流路２を成す管体の、垂直部分の下方側面と嵌合する開口部４ａを備えてなり、また開口部４ａと外周部の間には、排水中の塵芥や毛髪等を捕集する捕集部４ｂを備えてなる。捕集部４ｂは、幅１ミリメートル程度のリブを格子状に組み合わせ、１．４ミリメートル角の正方形形状の小さな開口を複数構成することで、排水は小さな開口から排出され、排水中の塵芥等はリブに留まって排水から分離され、捕集される。尚、図１０、図１１、図１３においては、捕集部４ｂはハッチングによって該当する部分のみ示し、リブの図示は省略してなる。
また、目皿部材４の捕集部４ｂは、施工が完了した時、その全てが継手部材本体１に覆われて閉塞するのではなく、平面視継手部材本体１の外側に位置する箇所の捕集部４ｂは浴室の床面Ｆ上に露出し、浴室の床面Ｆ上に生じた排水を排出するように構成されてなる。
【００１６】
上記のように構成された各部材は、以下のようにして施工される。尚、特に詳述しないが、それぞれの接続部は、必要に応じて接続箇所を接着剤やパッキングを使用したネジ締めなどで水密的に接続する。
まず、浴槽Ｂの浴槽取付口Ｂ１に浴槽排水口本体６を、洗面ボウルＳの洗面取付口Ｓ１に洗面排水口本体７を、それぞれ接続する。
次に、排水口５に目皿部材４を取り付け、更に目皿部材４の開口部４ａに、継手部材本体１の嵌合部２ｃを嵌合させる。これにより、図１４に示したように、目皿部材４の捕集部４ｂの上方に第二の排出口３ｂが配置される。即ち、第二の排出口３ｂに目皿部材４の捕集部４ｂが備えられる。
次に、浴槽排水口本体６の下端に屈曲管を接続し、更に屈曲管の下流側端部にホース管を接続した上で、浴槽Ｂを浴室上に設置する。更に、ホース管の下流側端部を、継手部材本体１の第一の流入口２ａに接続する。尚、この浴槽排水口本体６から第一の流入口２ａまでの配管を、以下「浴槽配管ＢＰ」と記載する。
次に、洗面排水口本体７の下端に硬質の塩ビ管の直管を垂下するように接続し、その下端に屈曲管を接続する。更に、屈曲管の下流側端部にホース管を接続した上で、ホース管の下流側端部を、継手部材本体１の第二の流入口３ａに接続する。尚、この洗面排水口本体７から第二の流入口３ａまでの配管を、以下「洗面配管ＳＰ」と記載する。
このようにして、本発明の第一実施例の、浴室の排水配管が完了する。
尚、上記のように構成したことで、通常の使用の際には、浴槽Ｂに接続された第一の流入口２ａは、洗面ボウルＳに接続された第二の流入口３ａに比べて、一度に排水される排水が大量に流入する。即ち、本発明の浴室の排水配管は、「第一の流入口２ａに接続される排水機器は、第二の流入口３ａに接続される排水機器よりも、一度に排水される排水の量が大量である」排水配管である。
【００１７】
上記のように構成された本実施例は以下のように使用される。
浴槽Ｂ内に排水が生じた場合、浴槽Ｂ内の排水は、浴槽排水口６ａから、浴槽配管ＢＰを介して第一の流入口２ａに流入し、第一の排水流路２を通過して第一の排出口２ｂから排水口５内に直接排出される。
また、洗面ボウルＳ内に排水が生じた場合、洗面ボウルＳ内の排水は、洗面排水口７ａから、洗面配管ＳＰを介して第二の流入口３ａに流入し、ケーシング部３ｃの下面の第二の排出口３ｂから、目皿部材４の捕集部４ｂの開口を通過した上で排水口５内に排出される。
また、浴槽Ｂの浴湯がこぼれる等して浴室の床面Ｆ上に排水が生じた場合、浴室の床面Ｆ上の排水は、排水口５に備えられた目皿部材４の捕集部４ｂの内、継手部材本体１に覆われていない捕集部４ｂを介して排水口５内に流入し、排出される。
浴槽Ｂからの排水は、容量の大きい浴槽Ｂ内に溜まった排水(浴湯）を、栓蓋８を外して一気に排出することから、排水の量も大量になりやすい。しかしながら、本実施例では、排水口５内に排水が排出されるまで、継手部材本体１内で第一の排水流路２と、第二の排水流路３が合流することが無いため、第一の排水流路２、即ち浴室の排水が、第二の排水流路３に逆流を生じることはない。
また、第一の排水流路２からの排水が大量で、排水口５内にサイホン現象が生じ、排水口５内が負圧になった場合、負圧による空気の引き込みは、目皿部材４の捕集部４ｂの小さな開口を介することになるため、空気の通り抜けが困難になり、負圧による空気の引き込みが生じにくく、それに由来する「ごぼごぼ」といった引き込み音が生じにくくなる。
特に、洗面ボウルＳを使用し、結果洗面配管ＳＰからの排水により目皿部材４が濡れているような場合、目皿部材４の捕集部４ｂの小さな開口には水滴が付き、これが表面張力を生じて捕集部４ｂの開口を塞ぐように機能することで、一層負圧による空気の引き込みが生じにくくなる。
また、本実施例では、排水口５に備えた目皿部材４の捕集部４ｂの一部は継手部材本体１に覆われておらず、浴室の床面Ｆ上に露出しており、この露出した捕集部４ｂから、排水口５内や、第一の排水流路２または第二の排水流路３に吸気を行うことが可能であり、この吸気可能な構造により、前述した排水時のサイホン効果による負圧を解消することができる。
上記のように排水口５から吸気を行うようにした構造において、第一の排水流路２に大量に排水が発生した場合、第二の排水流路３と、排水口５の吸気の構造部分（本実施例の場合、継手部材本体１に覆われていない箇所の捕集部４ｂ）には同じように捕集部４ａが備えられてなるが、排水口５の方が負圧の発生個所に近いことから、吸気のほとんどは排水口５に備えられた目皿部材４の捕集部４ｂから行われ、洗面ボウルＳの洗面排水口７ａから生じることは殆どない。結果、負圧による引き込みやごぼごぼ音は排水口４に発生し、洗面排水口７ａにはほぼ発生しない。洗面排水口７ａに比べ、排水口４は使用者の耳から遠い位置にあり、ごぼごぼ音が発生しても、使用者にとっては洗面排水口７ａで生じた場合ほど大きな音とならずに済む。
【００１８】
本発明の実施例は以上のようであるが、本発明は上記実施例に限定される物ではなく、主旨を変更しない範囲において自由に変更が可能である。
例えば、上記実施例では、排水口５と床下配管の間に排水トラップを配置してなるが、本発明は上記実施例に限定されるものでは無く、浴槽配管ＢＰ上、及び洗面配管ＳＰ上に個別に排水トラップを用いても構わない。この際に、洗面配管ＳＰ上に用いたのが排水を封水として溜めることでトラップ機能を生じさせる封水式排水トラップであった場合、サイホン効果によって生じる負圧の影響が、本発明の排水継手によって減じられることで、封水が負圧によって引き込まれてトラップ機能を喪失する破封を、生じにくくすることができる。
【００１９】
また、上記実施例では、排水機器として浴槽Ｂと洗面ボウルＳを用いているが、本発明は上記実施例に限定されるものでは無く、流し台や洗濯機等、他の排水機器に用いても構わない。
【００２０】
また、上記実施例では、第一の排出口２ｂの下端を、第二の排出口３ｂよりも下方としているが、第二の流入口３ａからの排水が第一の流路２側に逆流することを防止するためには、第一の排出口２ｂの下端を、第二の流入口３ａの下端から第二の排出口３ｂまでの間の高さ位置とすることで逆流防止は可能である。
但し、本発明の実施例のように、第一の排出口２ｂの下端を、第二の排出口３ｂよりも低い位置としたほうが、より確実に逆流を防止することができる。
【００２１】
また、上記実施例では、排水継手に接続する排水機器を２つとしているが、本発明は上記実施例に限定されるものでは無く、例えば、ケーシング部３ｃの周囲に２つ以上、複数の第二の流入口３ａを設け、第一の流入口２ａ、及び複数の第二の流入口３ａのそれぞれに排水機器からの排水配管を接続することで、３つ以上の排水機器の排水を処理する排水継手としても構わない。
【符号の説明】
【００２２】
１    継手部材本体              ２    第一の排水流路
２ａ  第一の流入口              ２ｂ  第一の排出口
２ｃ  嵌合部                    ３    第二の排水流路
３ａ  第二の流入口              ３ｂ  第二の排出口
３ｃ  ケーシング部              ４    目皿部材
４ａ  開口部                    ４ｂ  捕集部
５    排水口                    ６    浴槽排水口本体
６ａ  浴槽排水口                ７    洗面排水口本体
７ａ  洗面排水口                ８    栓蓋
Ｂ    浴槽                      Ｂ１  浴槽取付口
Ｆ    浴室の床面                Ｐ    配管部材
Ｓ    洗面ボウル                Ｓ１  洗面取付口
ＢＰ  浴槽配管                  ＳＰ  洗面配管
【図１】
2019035287.tif 000003
【図２】
2019035287.tif 000004
【図３】
2019035287.tif 000005
【図４】
2019035287.tif 000006
【図５】
2019035287.tif 000007
【図６】
2019035287.tif 000008
【図７】
2019035287.tif 000009
【図８】
2019035287.tif 000010
【図９】
2019035287.tif 000011
【図１０】
2019035287.tif 000012
【図１１】
2019035287.tif 000013
【図１２】
2019035287.tif 000014
【図１３】
2019035287.tif 000015
【図１４】
2019035287.tif 000016